(57)【要約】【課題】家庭内無線ＬＡＮを用いて、デジタルＴＶ放送番組を家庭内で配信する場合に、親機側に必要だったハードディスクなどの録画メディアを不要とし、さらに、親機の部品点数を減らし、親機のコストを低減する。【解決手段】デジタルＴＶ放送波を受信する親機と、親機と無線ＬＡＮで接続される子機と、前記子機からＴＶ信号が供給されるＴＶ受像器とを備える屋内配信システムであって、前記親機は、前記子機から指定されたチャンネルのＴＳデータを、スクランブルを解除しないままＬＡＮパケットに組み立て、無線ＬＡＮで前記子機に送信し、前記子機は、前記受信したＬＡＮパケットを前記子機から指定されたチャンネルのＴＳデータに変換し、当該変換した前記子機から指定されたチャンネルのＴＳデータのスクランブルを解除し、デジタルＴＶ信号、あるいは、アナログＴＶ信号に変換し、前記ＴＶ受像器に供給する。【選択図】    図１
2013009168.tif 000002
【特許請求の範囲】
【請求項１】
デジタルＴＶ放送波を受信する親機と、
前記親機と無線ＬＡＮで接続される子機と、
前記子機からＴＶ信号が供給されるＴＶ受像器とを備える屋内配信システムであって、
前記親機は、前記子機から指定されたチャンネルのＴＳデータを、スクランブルを解除しないままＬＡＮパケットに組み立て、無線ＬＡＮで前記子機に送信し、
前記子機は、前記受信したＬＡＮパケットを前記子機から指定されたチャンネルのＴＳデータに変換し、当該変換した前記子機から指定されたチャンネルのＴＳデータのスクランブルを解除し、デジタルＴＶ信号、あるいは、アナログＴＶ信号に変換し、前記ＴＶ受像器に供給することを特徴とする屋内配信システム。
【請求項２】
前記親機は、チューナと、変換器と、無線機と、それらを制御する制御器とを有し、
前記チューナは、前記デジタルＴＶ放送波から、前記子機から指定されたチャンネルのデジタルＴＶ放送波を復調してＴＳデータに変換し、当該子機から指定されたチャンネルのＴＳデータを前記親機の変換器に送り、
前記変換器は、受け取ったＴＳデータを、無線ＬＡＮパケットのパケット長の長さのデータに変換して前記親機の無線機に送り、
前記無線機は、受け取ったデータを無線ＬＡＮパケットに組み立て、当該無線ＬＡＮパケットを変調し、前記子機に割り当てられている無線チャネルを使用して前記子機に送り、
前記子機は、無線機と、変換器と、デコーダとを有し、
前記子機の無線機は、前記親機から受信した変調信号を復調して無線ＬＡＮパケットに変換して、前記子機の変換器に送り、
前記変換器は、受け取った無線ＬＡＮパケットを、前記子機から指定されたチャンネルのＴＳデータに変換して、前記子機のデコーダに送り、
前記デコーダは、受け取ったＴＳデータのスクランブルを解除し、デジタルＴＶ信号、あるいは、アナログＴＶ信号に変換して、前記ＴＶ受像器に供給することを特徴とする請求項１に記載の屋内配信システム。
【請求項３】
前記ＴＶ受像器には、チャンネルを指定するリモコンが付属しており、
前記子機は、リモコン受信部を有し、
前記子機のリモコン受信部は、前記リモコンから受信したチャンネル指定信号を前記子機のデコーダに送り、
前記デコーダは、受け取ったチャンネル指定信号に基づき、チャンネル切替信号を生成して、前記子機の変換器に送り、
前記変換器は、受け取ったチャンネル切替信号を無線ＬＡＮパケットに変換して、前記子機の無線機に送り、
前記無線機は、受け取った無線ＬＡＮパケットを変調し、前記子機に割り当てられている無線チャネルを使用して前記親機に送り、
前記親機の無線機は、前記子機から受信した変調信号を復調して無線ＬＡＮパケットに変換して、前記親機の変換器に送り、
前記変換器は、受け取った無線ＬＡＮパケットを、前記チャンネル切替信号に変換して、前記親機の制御器に送り、
前記制御器は、受け取った前記チャンネル切替信号に基づき、前記チューナを制御し、前記チューナで復調するチャンネルを変更することを特徴とする請求項２に記載の屋内配信システム。
【発明の詳細な説明】
【技術分野】
【０００１】
本発明は、屋内無線配信方式に係わり、特に、一般家庭のＴＶ受像機向けデジタル情報の屋内無線配信方式に関する。
【背景技術】
【０００２】
近年、ケーブルの敷設が不要であるというメリットを活かし、家庭内無線ＬＡＮが多用されている。
しかし、デジタルＴＶ放送番組を、家庭内無線ＬＡＮを用いて家庭内で配信する場合、家庭内に設けた親機が、受信したデジタルＴＶ放送波を復調し、スクランブルを解除した上で、当該スクランブルを解除したＴＳデータを録画メディアにコンテンツとして蓄積し、録画したメニューから子機が希望するコンテンツを選択し、そのコンテンツを、親機がＤＬＮＡ（Digital Living Network Alliance）ガイドラインに従って再度暗号化して、子機に無線ＬＡＮで送信し、子機でＤＬＮＡガイドラインに従って復号化して、接続されたＴＶ受像機に送ることが想定される。
【発明の概要】
【発明が解決しようとする課題】
【０００３】
前述したように、家庭内無線ＬＡＮを用いて、デジタルＴＶ放送番組を家庭内で配信する場合、親機は受信したＴＳ信号を、Ｂ−ＣＡＳカードを基に暗号を復号し、スクランブルを解除した上で、当該スクランブルを解除したＴＳデータを録画メディアにコンテンツとして蓄積し、子機が選択したコンテンツを再度ＤＬＮＡガイドラインに従って再暗号化して子機に送信することが想定される。
このため、親機には、ハードディスクなどの録画メディアが必要不可欠であり、さらに、スクランブルを解除したものをさらに再度暗号化して子機に送信する必要があるので、親機の部品点数が増え、親機のコストが高くなるという欠点がある。
本発明は、前記従来技術の問題点を解決するためになされたものであり、本発明の目的は、家庭内無線ＬＡＮを用いて、デジタルＴＶ放送番組を家庭内で配信する場合に、親機側に必要だったハードディスクなどの録画メディアを不要とし、さらに、親機の部品点数を減らし、親機のコストを低減することが可能となる技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
（１）デジタルＴＶ放送波を受信する親機と、前記親機と無線ＬＡＮで接続される子機と、前記子機からＴＶ信号が供給されるＴＶ受像器とを備える屋内配信システムであって、前記親機は、前記子機から指定されたチャンネルのＴＳデータを、スクランブルを解除しないままＬＡＮパケットに組み立て、無線ＬＡＮで前記子機に送信し、前記子機は、前記受信したＬＡＮパケットを前記子機から指定されたチャンネルのＴＳデータに変換し、当該変換した前記子機から指定されたチャンネルのＴＳデータのスクランブルを解除し、デジタルＴＶ信号、あるいは、アナログＴＶ信号に変換し、前記ＴＶ受像器に供給する。
【０００５】
（２）（１）において、前記親機は、チューナと、変換器と、無線機と、それらを制御する制御器とを有し、前記チューナは、前記デジタルＴＶ放送波から、前記子機から指定されたチャンネルのデジタルＴＶ放送波を復調してＴＳデータに変換し、当該子機から指定されたチャンネルのＴＳデータを前記親機の変換器に送り、前記変換器は、受け取ったＴＳデータを、無線ＬＡＮパケットのパケット長の長さのデータに変換して前記親機の無線機に送り、前記無線機は、受け取ったデータを無線ＬＡＮパケットに組み立て、当該無線ＬＡＮパケットを変調し、前記子機に割り当てられている無線チャネルを使用して前記子機に送り、前記子機は、無線機と、変換器と、デコーダとを有し、前記子機の無線機は、前記親機から受信した変調信号を復調して無線ＬＡＮパケットに変換して、前記子機の変換器に送り、前記変換器は、受け取った無線ＬＡＮパケットを、前記子機から指定されたチャンネルのＴＳデータに変換して、前記子機のデコーダに送り、前記デコーダは、受け取ったＴＳデータのスクランブルを解除し、デジタルＴＶ信号、あるいは、アナログＴＶ信号に変換して、前記ＴＶ受像器に供給する。
【０００６】
（３）（２）において、前記ＴＶ受像器には、チャンネルを指定するリモコンが付属しており、前記子機は、リモコン受信部を有し、前記子機のリモコン受信部は、前記リモコンから受信したチャンネル指定信号を前記子機のデコーダに送り、前記デコーダは、受け取ったチャンネル指定信号に基づき、チャンネル切替信号を生成して、前記子機の変換器に送り、前記変換器は、受け取ったチャンネル切替信号を無線ＬＡＮパケットに変換して、前記子機の無線機に送り、前記無線機は、受け取った無線ＬＡＮパケットを変調し、前記子機に割り当てられている無線チャネルを使用して前記親機に送り、前記親機の無線機は、前記子機から受信した変調信号を復調して無線ＬＡＮパケットに変換して、前記親機の変換器に送り、前記変換器は、受け取った無線ＬＡＮパケットを、前記チャンネル切替信号に変換して、前記親機の制御器に送り、前記制御器は、受け取った前記チャンネル切替信号に基づき、前記チューナを制御し、前記チューナで復調するチャンネルを変更する。
【発明の効果】
【０００７】
本願において開示される発明のうち代表的なものによって得られる効果を簡単に説明すれば、下記の通りである。
本発明によれば、家庭内無線ＬＡＮを用いて、デジタルＴＶ放送番組を家庭内で配信する場合に、親機側に必要だったハードディスクなどの録画メディアを不要とし、さらに、親機の部品点数を減らし、親機のコストを低減することが可能となる。
【図面の簡単な説明】
【０００８】
【図１】本発明の実施例の屋内配信システムの概略全体構成を示すブロック図である。
【図２】図１に示す親機の概略構成を示すブロック図である。
【図３】図１に示す子機の概略構成を示すブロック図である。
【発明を実施するための形態】
【０００９】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
図１は、本発明の実施例の屋内配信システムの概略全体構成を示すブロック図である。
図２は、図１に示す親機の概略構成を示すブロック図である。
図３は、図１に示す子機の概略構成を示すブロック図である。
図１ないし図３において、１００は親機、２００−１〜２００−３は子機、３００−１〜３００−３はＴＶ受像機、３１０−１〜３１０−３はリモコンである。
本実施例は、３台までのＴＶ受像機（３００−１〜３００−３）に、親機１００と３台の子機（２００−１〜２００−３）で構成される無線ＬＡＮを使用して、ＴＶ受像機向けデジタル情報を送信する場合の実施例である。
【００１０】
以下、図２を用いて、図１に示す親機１００の構成と機能を説明する。
図２に示すように、親機１００は、分配器１１０と、チューナ部１２０と、変換器部１３０と、無線機部１４０と、制御器１５０と、アンテナ（１６０−１〜１６０−３）とで構成されている。
チューナ部１２０は、チューナ１（１２０−１）、チューナ２（１２０−２）、チューナ３（１２０−３）の３台のチューナを有する。
変換器部１３０は、変換器１（１３０−１）、変換器２（１３０−２）、変換器３（１３０−３）の３台の変換器を有する。
無線機部１４０は、無線器１（１４０−１）、無線器２（１４０−２）、無線機３（１４０−３）の３台の無線器を有する。
このように、本実施例では、子機の最大数３に合わせて、チューナ部１２０のチューナ、変換器部１３０の変換器、無線機部１４０の無線機およびアンテナがそれぞれ３台ずつ設けてある。
分配器１１０には、アンテナからのＴＶ受像機向けデジタルＴＶ放送波、あるいは、ケーブルＴＶ等からのＴＶ受像機向けデジタルＴＶ放送波が入力され、分配器１１０は、入力されたデジタルＴＶ放送波を３分配し、チューナ部１２０の３個のチューナ１（１２０−１）〜チューナ３（１２０−３）に別々に送られる。
【００１１】
チューナ１（１２０−１）、チューナ２（１２０−２）、チューナ３（１２０−３）のそれぞれのチューナでは、制御器１５０から各チューナに送られたチャンネル指定信号によって指定されたチャンネルのデジタルＴＶ放送波を復調してＭＰＥＧ２−ＴＳ（Transport Stream）データを得て、変換器１（１３０−１）、変換器２（１３０−２）、変換器３（１３０−３）のそれぞれの変換器に送る。
チャンネル指定信号は、各ＴＶ受像機（３００−１，３００−２，３００−３）に付属する各リモコン（３１０−１，３１０−２，３１０−３）から送信され、各子機（２００−１，２００−２，２００−３）を介して送信された信号である。
すなわち、親機１００のアンテナで受信されたチャンネル指定信号波は、無線機部１４０の各無線機（１４０−１，１４０−２，１４０−３）により復調されてベースバンドのＭＡＣ（Media Access Control Frame）フレームに戻され、変換器部１３０の各変換器（１３０−１，１３０−２，１３０−３）により、チャンネル指定信号に復調され、レジスタ情報として制御器１５０に送られる。
ＭＰＥＧ２−ＴＳデータを受け取った各変換器（１３０−１，１３０−２，１３０−３）では、受け取ったＴＳデータをメモリに一時蓄積して、無線ＬＡＮパケットのパケット長のデータに変換して各無線機（１４０−１，１４０−２，１４０−３）に送る。
各無線機（１４０−１，１４０−２，１４０−３）は、受け取ったデータに送信先の各子機（２００−１，２００−２，２００−３）に割り当てられているＭＡＣアドレス等を付加してＭＡＣフレームに変換し、さらに、無線ＬＡＮで規定されている変調方式の信号に変調し、アンテナ（１６０−１，１６０−２，１６０−３）へ送り、各子機（２００−１，２００−２，２００−３）毎に割り当てた無線チャンネルを使用して、アンテナ（１６０−１，１６０−２，１６０−３）から各子機（２００−１，２００−２，２００−３）に向けて送信する。
【００１２】
図３を用いて、子機の構成と機能を説明する。
各子機（２００−１，２００−２，２００−３）は、アンテナ２４０と、無線機２１０と、変換器２２０と、デコーダ２３０と、リモコン受信部２５０とで構成されている。
アンテナ２４０で受信された変調波は、無線機２１０で復調され、ＭＡＣフレームとして変換器２２０に送られる。
変換器２２０は、受け取ったＭＡＣフレームを、ＭＰＥＧ２−ＴＳデータに復元し、デコーダ２３０に送る。
デコーダ２３０は、Ｂ−ＣＡＳカードに基づき、ＭＰＥＧ２−ＴＳデータの暗号を復号し、スクランブルを解除した上で、元のデジタルデータに変換して映像と音声に分離し、さらに非圧縮のデジタルデータに変換し、その信号をＴＶ受像機のＨＤＭＩ端子に入力し、ＴＶ受像機において映像及び音声を再現する。あるいは、前記非圧縮のデジタルデータをアナログデータに変換後、ＲＧＢ端子に入力し、ＴＶ受像機において映像及び音声を再現する。もしくは、前記非圧縮のデジタルデータをアナログデータに変換後、映像データはＤ端子に、音声データはＲＣＡ端子等に入力し、ＴＶ受像機において映像及び音声を再現する。
また、リモコン３１０から子機２００のリモコン受信部２５０に送られたチャンネル指定データは、リモコン受信部２５０で電気的なデジタル信号に復調され、デコーダ２３０に送られる。
デコーダ２３０は、受取った電気的なデジタル信号（情報）に基づき、チャンネル切替信号（子機識別情報を含む）を生成し、変換器２２０へ送る。
変換器２２０は、受け取ったチャンネル切替信号（子機識別情報を含む）に、送信先の親機１００に割り当てられているＭＡＣアドレス等を付加してＭＡＣフレームに変換し無線機２１０に送る。
無線機２１０では、それを変調して、子機２００毎に割り当てた無線チャンネルの信号に変調して、アンテナ２４０へ送り、アンテナ２４０から親機１００に向けて送信する。
【００１３】
なお、本実施例では、ＴＶ受像機の数を最大３台としたが、ＴＶ受像機の数は自由であり、１でも２でも４以上でもよい。
ＴＶ受像機の最大設置台数がＮの場合には、親機に、Ｎ個の分配端子を有する分配器と、分配器のＮ個の端子に接続される、チューナ、変換器、無線機およびアンテナから成る回路をＮ組設け、子機とリモコンを各Ｎ個用意すれば、本発明を実施することが可能である。
分配器の分配端子の数はＮより多少大きくても可能である。Ｎが１の場合、分配器は不要であるがあってもよい。Ｎが大きくなると信号レベルが不足することもあるが、その場合は分配器の入力端等に増幅器を追加すればよい。
なお、親機から子機までの距離に応じてサービスセット識別子（ＳＳＩＤ；Service Set Identifier）のＡＣＫ到達時間を計測して、内部バッファに蓄積し、距離に応じて時間遅延を調整することにより、画像の遅延を改善することができる。
【００１４】
このように、本実施例では、デジタルＴＶ放送波を親機１００で受信し、受信した放送波のＭＰＥＧ２−ＴＳ（Transport Stream）データを暗号化されたまま、親機１００で無線ＬＡＮパケットとして、無線ＬＡＮにて子機（２００−１，２００−２，２００−３）に伝送する。
各子機（２００−１，２００−２，２００−３）は、受信した無線ＬＡＮパケットをＭＰＥＧ２−ＴＳデータに戻し、さらにＢ−ＣＡＳカードを基に暗号を復号し、元のデジタルデータに変換し、その信号をＴＶ受像機のＨＤＭＩ端子に入力し、ＴＶ受像機により映像及び音声を再現する。あるいは前記のデジタル信号をアナログ信号に変換後、各種アナログ端子に入力し、ＴＶ受像機により映像及び音声を再現する。すなわち、本実施例では、親機側ではＢ−ＣＡＳカードを基にした、ＭＰＥＧ２−ＴＳデータのスクランブル解除は行わず、子機側でＢ−ＣＡＳカードを基にスクランブル解除を行う。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００１５】
１００  親機
１１０  分配器
１２０  チューナ部
１２０−１，１２０−２，１２０−３  チューナ
１３０  変換器部
１３０−１，１３０−２，１３０−３，２２０  変換器
１４０  無線機部
１４０−１，１４０−２，１４０−３，２１０  無線機
１５０  制御部
１６０−１，１６０−２，１６０−３，２４０  アンテナ
２００，２００−１，２００−２，２００−３  子機
２３０  デコーダ
２５０  リモコン受信部
３００，３００−１，３００−２，３００−３  ＴＶ受像機
３１０，３１０−１，３１０−２，３１０−３  リモコン
【図１】
2013009168.tif 000003
【図２】
2013009168.tif 000004
【図３】
2013009168.tif 000005